(57)【要約】【課題】装置を再起動させることなく、複数の接続先環境を任意に切り換えて接続することができる通信端末装置、接続先環境切換方法及びプログラムを提供する。【解決手段】設定変更に再起動が要求されるシステム環境変数とは別に設けられ設定変更に再起動が要求されないユーザ環境変数を記憶する。切換先の接続先環境が指定されると、その指定された接続先環境に対応する接続情報をユーザ環境変数に設定する。そして、接続開始指令に基づいて、システム環境変数を参照せずに、ユーザ環境変数に設定されている指定の接続情報を参照し、指定の接続情報に対応する接続先環境に通信回線を介して接続する処理を実行する。【選択図】図３
2009205624.tif 000002
【特許請求の範囲】
【請求項１】
接続先環境に通信回線を介して接続する処理を実行可能な通信端末装置であって、
設定変更に再起動が要求されるシステム環境変数とは別に設けられ設定変更に再起動が要求されないユーザ環境変数を記憶するユーザ環境変数記憶手段と、
切換先の接続先環境を指定する接続先環境指定手段と、
前記接続先環境指定手段で指定された接続先環境に対応する接続情報を前記ユーザ環境変数に設定する接続情報設定手段と、
接続開始指令に基づいて、前記システム環境変数を参照せずに、前記ユーザ環境変数に設定されている前記指定の接続情報を参照し、該指定の接続情報に対応する接続先環境に通信回線を介して接続する処理を実行する接続処理手段と、
を備えたことを特徴とする通信端末装置。
【請求項２】
請求項１の通信端末装置において、
複数の接続先環境について前記接続情報が保存された接続情報記憶手段を更に備え、
前記接続情報設定手段は、前記接続先環境指定手段で指定された接続先環境に対応する接続情報を、前記接続情報記憶手段から読み出して前記ユーザ環境変数に設定することを特徴とする通信端末装置。
【請求項３】
請求項１又は２の通信端末装置において、
前記接続情報は、通信ネットワークにおいて前記接続先環境の接続受付部のアドレスを特定するためのアドレス情報を含むことを特徴とする通信端末装置。
【請求項４】
請求項１乃至３のいずれかの通信端末装置において、
前記接続情報は、前記接続先環境への接続時の認証処理に使用される認証情報を含むことを特徴とする通信端末装置。
【請求項５】
接続先環境に通信回線を介して接続する処理を実行可能な通信端末装置における接続先環境切換方法であって、
切り換え先の接続先環境を指定するステップと、
前記指定された接続先環境に対応する接続情報を、設定変更に再起動が要求されるシステム環境変数とは別に設けられ設定変更に該通信端末装置の再起動が要求されないユーザ環境変数に設定するステップと、
接続開始指令に基づいて、前記システム環境変数を参照せずに、前記ユーザ環境変数に設定されている前記指定の接続情報を参照し、該指定の接続情報に対応する接続先環境に通信回線を介して接続するステップと、
を有することを特徴とする接続先環境切換方法。
【請求項６】
接続先環境に通信回線を介して接続する処理を実行可能な通信端末装置における接続先環境切換の処理を、該通信端末装置のコンピュータを用いて実行させるためのプログラムであって、
切り換え先の接続先環境を指定するステップと、
前記指定された接続先環境に対応する接続情報を、設定変更に再起動が要求されるシステム環境変数とは別に設けられ設定変更に該通信端末装置の再起動が要求されないユーザ環境変数に設定するステップと、
接続開始指令に基づいて、前記システム環境変数を参照せずに、前記ユーザ環境変数に設定されている前記指定の接続情報を参照し、該指定の接続情報に対応する接続先環境に通信回線を介して接続するステップとを、
前記コンピュータを用いて実行させることを特徴とするプログラム。
【発明の詳細な説明】
【技術分野】
【０００１】
本発明は、接続先環境に通信回線を介して接続する処理を実行可能な通信端末装置、並びに、その通信端末装置における接続先環境切換方法及びプログラムに関するものである。
【背景技術】
【０００２】
従来、この種の通信端末装置として、基本ソフトであるオペレーティングシステム（ＯＳ）に定義されているシステム環境変数に予め接続情報を設定しておき、そのシステム環境変数の接続情報に基づいて、当該接続情報に対応する接続先環境に通信回線を介して接続する処理を実行するコンピュータ装置が知られている。
【発明の開示】
【発明が解決しようとする課題】
【０００３】
上記従来の通信端末装置（コンピュータ装置）では、その装置を複数の利用者がそれぞれ使用し上記所定の接続先環境に通信回線を介して接続する処理を実行できるように、各利用者が参照できるシステム環境変数に当該接続先環境に対応する接続情報が設定されている。そのため、利用者が通信端末装置から接続する接続先環境を変更しようとする場合、システム環境変数に保存されている接続情報を指定の接続情報で書き換える必要がある。そして、この書き換え後の接続情報を有効にするためには、通信端末装置を再起動させる必要があり、不便である。しかも、このシステム環境変数に設定されている書き換え後の接続情報は、その後に他の利用者が当該通信端末装置を使用する場合にも有効のままになっている。そのため、他の利用者が書き換え前の接続先情報を用いたい場合は、上記システム環境変数に設定されている接続情報を書き換え前の接続情報に戻し、通信端末装置を再起動させる必要がある。
【０００４】
本発明は以上の問題点に鑑みなされたものであり、その目的は、装置を再起動させることなく、複数の接続先環境を任意に切り換えて接続することができる通信端末装置、接続先環境切換方法及びプログラムを提供することである。
【課題を解決するための手段】
【０００５】
本発明に係る通信端末装置は、接続先環境に通信回線を介して接続する処理を実行可能な通信端末装置であって、設定変更に再起動が要求されるシステム環境変数とは別に設けられ設定変更に再起動が要求されないユーザ環境変数を記憶するユーザ環境変数記憶手段と、切換先の接続先環境を指定する接続先環境指定手段と、前記接続先環境指定手段で指定された接続先環境に対応する接続情報を前記ユーザ環境変数に設定する接続情報設定手段と、接続開始指令に基づいて、前記システム環境変数を参照せずに、前記ユーザ環境変数に設定されている前記指定の接続情報を参照し、該指定の接続情報に対応する接続先環境に通信回線を介して接続する処理を実行する接続処理手段と、を備える。
この通信端末装置では、切換先の接続先環境が指定されると、その指定された切換先の接続先環境に対応する接続情報がユーザ環境変数に設定される。このユーザ環境変数は、システム環境変数とは別に設けられ当該通信端末装置の装置本体を再起動することなく設定情報を変更可能な変数であるため、切換先の接続先環境に対応する接続情報が設定されても、通信端末装置の再起動が要求されない。そして、接続開始指令に基づいて、システム環境変数を参照せずに、ユーザ環境変数に設定されている接続情報を参照し、その参照された接続情報に対応する切換先の接続先環境に通信回線を介して接続される。このように通信端末装置の再起動が要求されないユーザ環境変数に設定された接続情報に基づいて、指定された切換先の接続先環境に接続することができるので、通信端末装置を再起動させることなく、複数の接続先環境を任意に切り換えて接続することができる。
【０００６】
ここで、前記「通信回線」は、インターネット、ＷＡＮ（Wide Area Network）、ＬＡＮ（Local Area Network）等の通信ネットワーク上に確立された通信回線のほか、専用線や公衆回線において１対１で確立された通信回線であってもよい。また、前記「通信回線」は、インターネット等の公衆の通信ネットワーク上に仮想的に確立されたＶＰＮ（Virtual Private Network）等の私的な通信ネットワークによる通信回線であってもよい。
また、前記「接続情報」は、接続先環境に接続して当該接続先環境を使用する情報である。
また、前記複数の「接続先環境」は、互いに種類が異なる業務処理それぞれを実行するための複数の環境であってもよいし、同一種類の業務処理を実行するためのものであって更新バージョンがそれぞれ異なる複数の環境であってもよい。この「接続先環境」としては、例えば、移動体通信における課金システム又は交換システムが挙げられる。
また、前記「切換先の接続先環境」の指定は、例えば、利用者の操作によって行われるようにしてもよいし、所定のアプリケーションプログラムの実行によって行われるようにしてもよい。また、前記「接続開始指令」は、利用者の操作によって生成されるようにしてもよいし、アプリケーションプログラムの実行によって生成されるようにしてもよい。
【０００７】
なお、前記通信端末装置において、複数の接続先環境について前記接続情報が保存された接続情報記憶手段を更に備え、前記接続情報設定手段は、前記接続先環境指定手段で指定された接続先環境に対応する接続情報を、前記接続情報記憶手段から読み出して前記ユーザ環境変数に設定するものであってもよい。
この通信端末装置では、指定された接続先環境に対応する接続情報が、接続情報記憶手段から読み出されてユーザ環境変数に設定されるため、前記指定の接続情報の入力操作が不要になり、操作性の向上を図ることができる。
【０００８】
また、前記通信端末装置において、前記接続情報は、通信ネットワークにおいて前記接続先環境の接続受付部のアドレスを特定するためのアドレス情報を含むものであってもよい。
この通信端末装置では、前記接続情報に含まれるアドレス情報を用いることにより、切り換え先の接続先環境の接続受付部のアドレスを特定し当該切り換え先の接続先環境に確実に接続できる。
なお、前記接続先環境への接続に使用される通信ネットワークがＩＰ（Internet Protocol）ネットワークの場合、例えば前記アドレス情報として、前記接続先環境の接続受付部のＩＰアドレス及びポート番号を用いることができる。
【０００９】
また、前記通信端末装置において、前記接続情報は、前記接続先環境への接続時の認証処理に使用される認証情報を含むものであってもよい。
この通信端末装置では、接続の際に認証情報が要求される接続先環境に切り換える場合に、前記接続情報に含まれる認証情報を用いて接続処理を行うことにより、当該認証情報が要求される切り換え先の接続先環境に確実に接続できる。
なお、前記認証情報としては、例えば、アカウント名、ユーザ名等の利用者の識別情報と、当該利用者について予め設定されたパスワードとを用いることができる。
【００１０】
本発明に係る接続先環境切換方法は、接続先環境に通信回線を介して接続する処理を実行可能な通信端末装置における接続先環境切換方法であって、切り換え先の接続先環境を指定するステップと、前記指定された接続先環境に対応する接続情報を、設定変更に再起動が要求されるシステム環境変数とは別に設けられ設定変更に該通信端末装置の再起動が要求されないユーザ環境変数に設定するステップと、接続開始指令に基づいて、前記システム環境変数を参照せずに、前記ユーザ環境変数に設定されている前記指定の接続情報を参照し、該指定の接続情報に対応する接続先環境に通信回線を介して接続するステップと、を有する。
前記接続先環境切換方法において、前記指定された接続先環境に対応する接続情報を、複数の接続先環境について前記接続情報が保存された接続情報記憶手段から読み出して前記ユーザ環境変数に設定するステップを、更に有してもよい。
また、前記接続先環境切換方法において、前記接続情報は、通信ネットワークにおいて前記接続先環境の接続受付部のアドレスを特定するためのアドレス情報を含むものであってもよい。
また、前記接続先環境切換方法において、前記接続情報は、前記接続先環境への接続時の認証処理に使用される認証情報を含むものであってもよい。
【００１１】
本発明に係るプログラムは、接続先環境に通信回線を介して接続する処理を実行可能な通信端末装置における接続先環境切換の処理を、該通信端末装置のコンピュータを用いて実行させるためのプログラムであって、切り換え先の接続先環境を指定するステップと、前記指定された接続先環境に対応する接続情報を、設定変更に再起動が要求されるシステム環境変数とは別に設けられ設定変更に該通信端末装置の再起動が要求されないユーザ環境変数に設定するステップと、接続開始指令に基づいて、前記システム環境変数を参照せずに、前記ユーザ環境変数に設定されている前記指定の接続情報を参照し、該指定の接続情報に対応する接続先環境に通信回線を介して接続するステップとを、前記コンピュータを用いて実行させるものである。
前記プログラムにおいて、前記指定された接続先環境に対応する接続情報を、複数の接続先環境について前記接続情報が保存された接続情報記憶手段から読み出して前記ユーザ環境変数に設定するステップを、前記コンピュータを用いて更に実行させるものであってもよい。
また、前記プログラムにおいて、前記接続情報は、通信ネットワークにおいて前記接続先環境の接続受付部のアドレスを特定するためのアドレス情報を含むものであってもよい。
また、前記プログラムにおいて、前記接続情報は、前記接続先環境への接続時の認証処理に使用される認証情報を含むものであってもよい。
【発明の効果】
【００１２】
本発明によれば、通信端末装置の再起動が要求されないユーザ環境変数に設定された接続情報に基づいて、複数の接続先環境の中から指定された切換先の接続先環境に接続することができるので、通信端末装置を再起動させることなく、複数の接続先環境を任意に切り換えて接続することができるという効果がある。
【発明を実施するための最良の形態】
【００１３】
以下、図面を参照しながら、本発明の実施形態について説明する。
図１は本発明の一実施形態に係る通信端末装置を備えた業務通信システムの概略構成の一例を示す説明図である。この業務通信システムは、例えばコンピュータ装置で構成される通信端末装置１０と、移動体通信システムの一部を構成する業務システムの接続先環境であって通信端末装置１０から接続して利用可能な複数種類の接続先環境２０とを備える。本実施形態では３種類の接続先環境２０の場合について示し、各接続先環境を区別するときには適宜、接続先環境２０Ａ，２０Ｂ，２０Ｃと記載する。通信端末装置１０と各接続先環境２０とは通信ネットワーク（通信回線）３０を介して通信することができる。通信ネットワーク３０は、例えばＩＰ−ＶＰＮ（Virtual Private Network）や広域イーサーネット網で構成できる。なお、本実施形態では通信端末装置が一つであって接続先環境が３つの場合について説明するが、本発明は通信端末装置１０の数及び接続先環境２０の数に制限されることなく適用できる。
【００１４】
上記接続先環境２０の業務システムとしては、例えば、カスタマーサービス管理システム、端末登録管理システム、課金システム等がある。カスタマーサービス管理システムは、携帯電話機の利用者からの問い合わせの電話やメッセージを受け付けるコールセンターにおいて利用され、新規顧客の情報や顧客の情報変更等受け付けるとともに、これら情報を管理する。端末登録管理システムは、携帯電話機のショップ等に設置された営業用端末から受け付けた携帯電話機の新規登録や機種変更などの処理に利用され、携帯電話機等の物品の在庫管理や、携帯電話機の利用者に払い出す電話番号の管理などをする。課金システムは、携帯電話機の利用者が利用した通信サービスに対する課金を管理する。
【００１５】
また、上記複数種類の接続先環境２０は、同じ種類の業務システム（例えば課金システム）において一部仕様等の変更によって互いにシステム開発のバージョンが異なる複数種類の業務システムの接続先環境も含まれる。例えば、上記複数種類の接続先環境２０における業務システムはそれぞれ、互いに同じ種類の業務を行う業務システムであって、現在の業務に実際に運用されている現行運用バージョンの業務システムと、その現行運用バージョンの業務システムを改良するように開発されている開発中の次期運用予定バージョンの業務システムとを含むものであってもよい。
また、上記複数種類の接続先環境２０は、同じバージョンのプログラムでシステム構成や運用形態が異なるものも含まれる。例えば、別の業務システムとの連係の確認において、その別の業務システムの確認を効率的に行えるように、処理能力を強化したシステム構成としたり仮想の日付が実際よりも早く進む運用としたりする場合等における、システム構成や運用形態が互いに異なる複数種類の業務システムの接続先環境も含まれる。
【００１６】
図２は、上記接続先環境における業務通信システムに使用可能なサーバ２００の主要な機能を示すブロック図である。サーバ２００は、例えばＣＰＵ、メモリー（ＲＡＭ，ＲＯＭ等）、ＨＤ等の外部記憶装置、イーサーネット（登録商標）等の外部通信部等を有するコンピュータ装置で構成することができる。サーバ２００は、例えばハードウェアであるコンピュータに基本ソフトウェア（ＯＳ：Operating System）、及びデータベースのサーバ機能や通信機能等の所定のアプリケーションプログラムが組み込まれて実行されることにより、通信端末装置１０からの接続を受け付ける接続受付部２０１、通信端末装置１０からの要求に応じて所定の情報処理を実行する情報処理部２０２などの各機能を実現することができる。
【００１７】
なお、上記サーバ２００は、１台のコンピュータ装置で構成してもいいし、複数のコンピュータ装置をネットワーク接続して協働して動作するように構成してもよい。
【００１８】
図３は、上記業務通信システムに使用可能な通信端末装置１０の主要な機能を示すブロック図である。通信端末装置１０は、例えばＣＰＵ、メモリー（ＲＡＭ，ＲＯＭ等）等の内部記憶装置、ＨＤ等の外部記憶装置、イーサーネット（登録商標）等の外部通信部、キー操作部やマウス等の入力装置、液晶ディスプレイやＣＲＴ等の表示装置を有するコンピュータ装置で構成することができる。このコンピュータ装置には、例えばデスクトップ型やノートブック型等のパーソナルコンピュータのほか、業務システム専用の端末装置、ＰＤＡ（Personal Digital Assistants）等の携帯情報端末、携帯電話機等の移動体通信端末等も含まれる。
【００１９】
通信端末装置１０は、例えばハードウェアであるコンピュータに基本ソフトウェア（ＯＳ）、及びデータベースのクライアント機能や通信機能、表示機能等の所定のアプリケーションプログラムが組み込まれて実行されることにより、接続先環境指定手段１０１、接続情報設定手段１０２、接続処理手段１０３としての各機能を実現することができる。また、前記内部記憶装置又は外部記憶装置は、ユーザ環境変数記憶手段１００やオプションとして後述する接続情報記憶手段として用いることができる。
【００２０】
上記ユーザ環境変数記憶手段１００は、設定変更に通信端末装置１０の再起動が要求されないユーザ環境変数を記憶するものである。このユーザ環境変数は、設定変更に通信端末装置１０の再起動が要求されるシステム環境変数とは別に設けられている。また、ユーザ環境変数に設定される接続情報は、その通信端末装置１０を再起動することなく、通信端末装置１０を使用している利用者が任意に変更することができる。
【００２１】
上記接続先環境指定手段１０１は、利用者による通信端末装置１０の所定の操作や通信端末装置１０で実行されるアプリケーションプログラムに基づいて、前記複数種類の接続先環境２０Ａ，２０Ｂ，２０Ｃの中から切換先の接続先環境を指定する。この接続先環境指定手段１０１は、例えば、複数種類の接続先環境２０Ａ，２０Ｂ，２０Ｃの中から切換先の接続先環境を選択することができるメニュー画面を表示し、このメニュー画面で利用者が接続先環境を選択する操作に基づいて、接続先環境２０Ａ，２０Ｂ，２０Ｃのいずれかを切換先の接続先環境として指定する。
【００２２】
上記接続情報設定手段１０２は、接続先環境指定手段１０１で指定された接続先環境２０（以下、接続先環境２０Ａ，２０Ｂ，２０Ｃの中から選択されて指定された接続先環境に対する符号を「２０Ｓ」とする。）に対応する接続情報を、ユーザ環境変数記憶手段１００のユーザ環境変数に設定する。例えば、通信端末装置１０と各接続先環境２０との間の通信ネットワーク３０がインターネット等のＴＣＰ／ＩＰネットワークの場合、ユーザ環境変数に設定する接続情報としては、指定の接続先環境２０Ｓの接続受付部のアドレスを特定するためのアドレス情報であるＩＰアドレス及びポート番号を設定することができる。また、接続情報には、指定の接続先環境２０Ｓへの接続時の認証処理に使用されるアカウント名（ユーザ名）及びパスワード等の認証情報を含めてもよい。
【００２３】
なお、図４に示すように、利用者が指定することができる複数の接続先環境２０Ａ，２０Ｂ，２０Ｃについて上記アドレス情報等の接続情報が保存された接続情報記憶手段１０４を更に備えておいてもよい。この接続情報記憶手段１０４には、例えば、複数の接続先環境２０Ａ，２０Ｂ，２０Ｃの識別情報と、各接続環境のアドレス情報であるＩＰアドレス及びポート番号を含む接続情報とが、互いに関連付けられて保存されている。また、この接続情報には、各接続先環境２０Ａ，２０Ｂ，２０Ｃそれぞれへの接続時の認証処理に使用されるアカウント名（ユーザ名）及びパスワード等の認証情報を含めてもよい。この接続情報記憶手段１０４を備えた場合、接続情報設定手段１０２は、接続先環境指定手段１０１で指定された接続先環境２０Ｓに対応する接続情報を、接続情報記憶手段１０４から読み出してユーザ環境変数に設定する。
【００２４】
上記接続処理手段１０３は、接続開始指令に基づいて、システム環境変数を参照せずに、上記ユーザ環境変数に設定されている指定の接続情報を参照し、その指定の接続情報に対応する接続先環境２０Ｓに通信ネットワーク（通信回線）３０を介して接続する処理を実行する。前記接続開始指令は、利用者による通信端末装置１０の所定の操作や通信端末装置１０で実行されるアプリケーションプログラムに基づいて生成される。接続処理手段１０３は、接続開始指令に基づいて、例えば、指定の接続先環境２０Ｓへの接続を伴う処理を開始するためのシェルを生成し、そのシェルから参照できるように設定されたユーザ環境変数の記憶領域に、前記接続情報設定手段１０２で設定されたユーザ環境変数の接続情報をコピーする。そして、接続処理手段１０３は、シェルの画面で利用者が接続開始の操作を行うと、その操作に基づいて、基本ソフトウェアのシステム環境変数を参照する代わりに、シェルにコピーしたユーザ環境変数に設定されている指定の接続情報を参照し、当該指定の接続情報に基づいて利用者が指定した接続先環境２０Ｓへの接続処理を実行する。
【００２５】
図５は、複数の接続先環境から選択して指定した接続先環境に通信端末装置１０から接続し所定のデータ処理を実行するときの処理の一例を示すフローチャートである。まず、利用者が通信端末装置１０を操作することにより、当該データ処理を実行するためのアプリケーションプログラムを起動する（Ｓ１）と、図６に示す統合メニュー画面９００が表示される（Ｓ２）。
【００２６】
次に、統合メニュー画面９００内にある接続先環境選択部９０１の所定位置をクリックすると、図７に示すように接続可能な複数種類の接続先環境の名称（ＡＡＡ、ＢＢＢ、ＣＣＣ）がプルダウンのリスト９０２で表示される。このリスト９０２から希望の接続先環境２０Ｓ（本処理例では、接続先環境ＢＢＢ）が利用者によって選択されると、その選択された接続先環境ＢＢＢに対応する接続情報（アドレス情報）が、図８の接続情報表示部９０３に表示される（Ｓ３）。
次いで、同図の接続先環境選択後の統合メニュー画面９００で、データ処理ツール一覧に表示されている複数種類のデータ処理Ｕ，Ｖ，Ｗ，Ｘ，Ｙ，Ｚのボタンから、希望のデータ処理（本処理例では、データ処理Ｘ）のボタン９０４が選択されてクリックされる（Ｓ４）と、選択された接続先環境ＢＢＢの接続情報が、アプリケーションプログラム用に予め設けられたユーザ環境変数の記憶領域に設定される（Ｓ５）。
このように、利用者は、接続情報表示部９０３の表示により、自分が選択した接続先環境ＢＢＢの接続情報（アドレス情報）を視認できる。
【００２７】
また、ボタン９０４の選択により、その選択されたデータ処理Ｘを接続先環境ＢＢＢで実行するためのシェルが生成され、この所定のシェルの生成とともに、上記選択された指定の接続先環境ＢＢＢの接続情報（アドレス情報）が、アプリケーションプログラム用のユーザ環境変数の記憶領域から、当該シェル用のユーザ環境変数の記憶領域にコピーされる（Ｓ６）。
【００２８】
さらに、データ処理Ｘの選択により、図９のデータ処理Ｘの個別メニュー（サブメニュー）画面９１０に画面遷移する。ここで、当該データ処理Ｘに含まれる複数のサブデータ処理のボタン９１１Ａ，９１１Ｂ，９１１Ｃから、利用者が希望するサブの個別データ処理（本例ではデータ処理Ｘ２）のボタン９１１Ｂが選択されてクリックされると、接続開始指令が生成される（Ｓ７）。上記シェルのプログラムは、接続開始指令に基づき、システム環境変数を参照する代わりに、シェルにコピーしたユーザ環境変数に設定されている接続先環境ＢＢＢの接続情報（アドレス情報）を参照し、当該指定の接続情報に基づいて利用者が指定した接続先環境ＢＢＢへの接続処理を実行する（Ｓ８）。そして、上記シェルのプログラムは、接続先環境ＢＢＢへの接続処理が完了した後、ユーザインターフェース画面を表示したり利用者の操作を受け付けたりすることにより、利用者が選択したデータ処理Ｘ２を実行する（Ｓ９）。
なお、利用者の視認の確度を高めるため、図８の画面から図９の画面への遷移に際し、生成されるシェルを示す表示画面を設けるようにしてもよい。
【００２９】
以上、本実施形態によれば、通信端末装置１０の再起動が要求されないユーザ環境変数に設定された接続情報に基づいて、複数の接続先環境２０Ａ，２０Ｂ，２０Ｃの中から指定された切換先の接続先環境に接続することができるので、通信端末装置１０を再起動させることなく、複数の接続先環境２０を任意に切り換えて接続することができることができる。
【００３０】
以上、本発明の好ましい実施形態を説明したが、特許請求の範囲に記載された技術的事項の範囲内において、開示した実施形態に種々の変更を加えることができる。
【図面の簡単な説明】
【００３１】
【図１】本発明の一実施形態に係る通信端末装置を備えた業務通信システムの概略構成の一例を示す説明図。
【図２】同業務通信システムに使用可能なサーバの主要な機能を示すブロック図。
【図３】同業務通信システムに使用可能な通信端末装置の主要な機能を示すブロック図。
【図４】変形例に係る通信端末装置の主要な機能を示すブロック図。
【図５】複数の接続先環境から選択した接続先環境に通信端末装置から接続し所定のデータ処理を実行するときの処理例を示すフローチャート。
【図６】統合メニュー画面の例を示す説明図。
【図７】接続先環境のリストが表示された統合メニュー画面の一例を示す説明図。
【図８】指定の接続先環境の接続情報が接続情報表示部に表示された統合メニュー画面の一例を示す説明図。
【図９】利用者が選択したデータ処理Ｘの個別メニュー画面の一例を示す説明図。
【符号の説明】
【００３２】
１０  通信端末装置
２０（２０Ａ，２０Ｂ，２０Ｃ）  接続先環境
２００  サーバ
３０  通信ネットワーク
【図１】
2009205624.tif 000003
【図２】
2009205624.tif 000004
【図３】
2009205624.tif 000005
【図４】
2009205624.tif 000006
【図５】
2009205624.tif 000007
【図６】
2009205624.tif 000008
【図７】
2009205624.tif 000009
【図８】
2009205624.tif 000010
【図９】
2009205624.tif 000011